(57)【要約】【課題】封止材の流通を止める部材を容易に取り付け可能な電気コネクタ、防水コネクタ、電気コネクタに同軸ケーブルを取り付ける方法を提供する。【解決手段】電気コネクタ１００は、中心端子１１０と筒状体１２０と隔離板１３０とを備える。中心端子１１０は、同軸ケーブルＣの中心導体Ｅに接続される接続部１１２と、相手側端子に接触する接点部１１１と、を有する。筒状体１２０は、中心端子の接点部１１１を収容する接点収容空間１２１と、接点収容空間に連通し、接続部１１２を収容し、接点収容空間よりも大径の封止空間１２２と、が形成され、接点収容空間と封止空間との間に連通する第１の開口部と、封止空間に封止材を注入する第２の開口部と、が側壁に形成され、誘電体から構成される。隔離板１３０は、第１の開口部に挿入されることで接点収容空間１２１と封止空間１２２との間に配置され、接点収容空間と封止空間とを隔離し、両空間の流通を止める。【選択図】図４
2019029231.tif 000002
【特許請求の範囲】
【請求項１】
同軸ケーブルの中心導体に接続される接続部と、相手側端子に接触する接点部と、を有する中心端子と、
前記中心端子の前記接点部を収容する接点収容空間と、前記接点収容空間に連通し、前記接続部を収容し、前記接点収容空間よりも大径の封止空間と、が形成され、前記接点収容空間と前記封止空間との間に連通する第１の開口部と、前記封止空間に封止材を注入する第２の開口部と、が側壁に形成され、誘電体から構成される筒状体と、
前記第１の開口部に挿入されることで前記接点収容空間と前記封止空間との間に配置され、前記接点収容空間と前記封止空間とを隔離し、両空間の流通を止める隔離板と、を備える、
電気コネクタ。
【請求項２】
前記封止空間は、前記接続部と同軸ケーブルの中心導体との接続部分を収容し、前記接続部分を封止する前記封止材が配置される、
請求項１に記載の電気コネクタ。
【請求項３】
前記封止空間は、前記中心導体を被覆し、誘電体から構成される被覆部と、前記同軸ケーブルの外部導体と、をさらに収容し、該被覆部と該外部導体と前記接続部分とを封止する封止材が配置される、
請求項２に記載の電気コネクタ。
【請求項４】
前記接点収容空間の側面の一部は、前記封止空間の側面の一部に接続され、前記中心端子は、前記接点収容空間の側面の一部と前記封止空間の側面の一部とに接触して配置され、前記第１の開口部は、前記接点収容空間と前記封止空間の側面の一部に対向する面に形成された、
請求項１から３の何れか１項に記載の電気コネクタ。
【請求項５】
前記隔離板は、前記中心端子の一部が入る凹部を有する、
請求項１から４の何れか１項に記載の電気コネクタ。
【請求項６】
前記隔離板は、前記中心端子の前記接続部と前記接点部の間の部分に当接する、
請求項１から５の何れか１項に記載の電気コネクタ。
【請求項７】
前記接続部に前記同軸ケーブルの中心導体が接続され、
前記封止空間に前記封止材が配置された、
請求項１から６の何れか１項に記載の電気コネクタ。
【請求項８】
前記封止材は、アクリル系接着剤から構成される、
請求項７に記載の電気コネクタ。
【請求項９】
前記筒状体を収容する筒状の形状を有し、前記同軸ケーブルの外部導体に接続されたグランド端子と、
前記隔離板を有し、前記グランド端子の外を覆って配置される、誘電体から構成される固定部材と、を備え、
前記グランド端子は、前記第１の開口部に連通する第３の開口部を有し、
前記隔離板は、前記第３の開口部を介して、前記筒状体の前記第１の開口部に配置され、
前記グランド端子は、前記第２の開口部に連通する第４の開口部を有し、
前記固定部材は、前記第２の開口部および前記第４の開口部に連通する第５の開口部を有する、
請求項１から８の何れか１項に記載の電気コネクタ。
【請求項１０】
請求項１から９の何れか１項に記載の電気コネクタと、
前記電気コネクタを収容するコネクタ収容空間が形成されたハウジングと、
前記電気コネクタと前記コネクタ収容空間との隙間に配置された防水材と、
を備える防水コネクタ。
【請求項１１】
同軸ケーブルの中心導体に接続される接続部と、相手側端子に接触する接点部と、を有する中心端子の接続部に、前記同軸ケーブルの中心導体を接続する接続工程と、
前記中心導体が接続された前記中心端子の前記接点部を、誘電体から構成される筒状体に設けられた接点収容空間に収容し、前記接続部を、前記接点収容空間に連通し、前記接点収容空間よりも大径の封止空間に収容する収容工程と、
前記中心端子が配置された前記筒状体の前記接点収容空間と前記封止空間との間に連通する第１の開口部から隔離板を挿入し、前記接点収容空間と前記封止空間とを隔離し、両空間の流通を止める隔離板挿入工程と、
前記隔離板が挿入された前記筒状体の前記封止空間に連通する第２の開口部から封止材を前記封止空間に充填し、前記接続部と前記同軸ケーブルの中心導体との接続部分を封止する封止工程と、を備える、
電気コネクタに同軸ケーブルを取り付ける方法。
【発明の詳細な説明】
【技術分野】
【０００１】
本発明は、電気コネクタ、防水コネクタ、電気コネクタに同軸ケーブルを取り付ける方法に関する。
【背景技術】
【０００２】
複数の素線を撚った導体を被覆で覆った被覆電線では、素線の隙間で水が結露する虞がある。被覆電線の素線の隙間で結露した水が、被覆電線を取り付けたコネクタの内部に浸入しないために、被覆電線の導体と端子との接続部分を封止できるコネクタが知られている。
【０００３】
特許文献１は、筒状の本体部と被覆電線の導体に圧着される圧着部と本体部と圧着部との間に配置された連結部とを有する端子金具と、連結部に装着され、本体部と圧着部との間の流通を止めることが可能な止め部と、端子金具を収容するキャビティを有するコネクタハウジングと、を備えるコネクタを開示する。コネクタハウジングには、封止材を注入するための注入孔が形成される。注入孔の入り口はコネクタハウジングの外面に開口する。注入孔の出口がキャビティの内面における圧着部と対向する位置に開口する。
【先行技術文献】
【特許文献】
【０００４】
【特許文献１】特許第５６０１１０７号公報
【発明の概要】
【発明が解決しようとする課題】
【０００５】
特許文献１が開示する構造を有するコネクタでは、組み立ての際、被覆電線の導体と端子との接続部分を封止する際に封止材を止める止め部をコネクタに組み込む必要がある。この止め部には、予め端子が取り付けられている。よって、止め部をコネクタに組み込む際に、端子がコネクタに当接して端子に変形が生じないよう、注意が必要となる。従って、上述のコネクタでは、封止材の流通を止める部材である止め部をコネクタに組み込む作業が煩雑であるという問題がある。
【０００６】
本発明は、上述の事情の下になされたものであり、封止材の流通を止める部材を容易に取り付け可能な電気コネクタ、防水コネクタ、電気コネクタに同軸ケーブルを取り付ける方法を提供することを目的とする。
【課題を解決するための手段】
【０００７】
上記目的を達成するため、本発明の第１の観点に係る電気コネクタは、
同軸ケーブルの中心導体に接続される接続部と、相手側端子に接触する接点部と、を有する中心端子と、
前記中心端子の前記接点部を収容する接点収容空間と、前記接点収容空間に連通し、前記接続部を収容し、前記接点収容空間よりも大径の封止空間と、が形成され、前記接点収容空間と前記封止空間との間に連通する第１の開口部と、前記封止空間に封止材を注入する第２の開口部と、が側壁に形成され、誘電体から構成される筒状体と、
前記第１の開口部に挿入されることで前記接点収容空間と前記封止空間との間に配置され、前記接点収容空間と前記封止空間とを隔離し、両空間の流通を止める隔離板と、を備える。
【０００８】
前記封止空間は、前記接続部と同軸ケーブルの中心導体との接続部分を収容し、前記接続部分を封止する前記封止材が配置されるとよい。
【０００９】
前記封止空間は、前記中心導体を被覆し、誘電体から構成される被覆部と、前記同軸ケーブルの外部導体と、をさらに収容し、該被覆部と該外部導体と前記接続部分とを封止する封止材が配置されるとよい。
【００１０】
前記接点収容空間の側面の一部は、前記封止空間の側面の一部に接続され、前記中心端子は、前記接点収容空間の側面の一部と前記封止空間の側面の一部とに接触して配置され、前記第１の開口部は、前記接点収容空間と前記封止空間の側面の一部に対向する面に形成されるとよい。
【００１１】
前記隔離板は、前記中心端子の一部が入る凹部を有するとよい。
【００１２】
前記隔離板は、前記中心端子の前記接続部と前記接点部の間の部分に当接するとよい。
【００１３】
前記接続部に前記同軸ケーブルの中心導体が接続され、
前記封止空間に前記封止材が配置されるとよい。
【００１４】
前記封止材は、アクリル系接着剤から構成されるとよい。
【００１５】
前記筒状体を収容する筒状の形状を有し、前記同軸ケーブルの外部導体に接続されたグランド端子と、
前記隔離板を有し、前記グランド端子の外を覆って配置される、誘電体から構成される固定部材と、を備え、
前記グランド端子は、前記第１の開口部に連通する第３の開口部を有し、
前記隔離板は、前記第３の開口部を介して、前記筒状体の前記第１の開口部に配置され、
前記グランド端子は、前記第２の開口部に連通する第４の開口部を有し、
前記固定部材は、前記第２の開口部および前記第４の開口部に連通する第５の開口部を有するとよい。
【００１６】
上記目的を達成するため、本発明の第２の観点に係る防水コネクタは、
前記電気コネクタと、
前記電気コネクタを収容するコネクタ収容空間が形成されたハウジングと、
前記電気コネクタと前記コネクタ収容空間との隙間に配置された防水材と、
を備える。
【００１７】
上記目的を達成するため、本発明の第３の観点に係る電気コネクタに同軸ケーブルを取り付ける方法は、
同軸ケーブルの中心導体に接続される接続部と、相手側端子に接触する接点部と、を有する中心端子の接続部に、前記同軸ケーブルの中心導体を接続する接続工程と、
前記中心導体が接続された前記中心端子の前記接点部を、誘電体から構成される筒状体に設けられた接点収容空間に収容し、前記接続部を、前記接点収容空間に連通し、前記接点収容空間よりも大径の封止空間に収容する収容工程と、
前記中心端子が配置された前記筒状体の前記接点収容空間と前記封止空間との間に連通する第１の開口部から隔離板を挿入し、前記接点収容空間と前記封止空間とを隔離し、両空間の流通を止める隔離板挿入工程と、
前記隔離板が挿入された前記筒状体の前記封止空間に連通する第２の開口部から封止材を前記封止空間に充填し、前記接続部と前記同軸ケーブルの中心導体との接続部分を封止する封止工程と、を備える。
【発明の効果】
【００１８】
本発明によれば、筒状体は、接点部を収容する接点収容空間と、接続部を収容し、接点収容空間よりも大径の封止空間と、を有する。隔離板が、接点収容空間と封止空間との間に配置されると、接点収容空間と封止空間とが隔離され、封止材の流通を止める部材として機能し、両空間の流通が止まる。このため、本発明によれば、封止材の流通を止める部材を容易に取り付け可能な電気コネクタ、防水コネクタ、電気コネクタに同軸ケーブルを取り付ける方法を提供できる。
【図面の簡単な説明】
【００１９】
【図１】（Ａ）および（Ｂ）は、本発明の実施の形態に係る防水コネクタが取り付けられた車載カメラの前方斜視図と後方斜視図である。
【図２】（Ａ）は、本実施の形態に係る防水コネクタが取り付けられた車載カメラの背面を示す図であり、（Ｂ）は、図２（Ａ）のＡ−Ａ断面図である。
【図３】（Ａ）は、本発明の実施の形態に係る防水コネクタの背面を示す図であり、（Ｂ）は、図３（Ａ）のＢ−Ｂ断面図である。
【図４】（Ａ）は、本発明の実施の形態に係る電気コネクタに封止材を注入する前の正面図であり、（Ｂ）は、図４（Ａ）のＣ−Ｃ断面図であり、（Ｃ）は、本発明の実施の形態に係る電気コネクタに封止材を注入した後の正面図であり、（Ｄ）は、図４（Ｃ）のＤ−Ｄ断面図である。
【図５】（Ａ）は、本発明の実施の形態に係る中心端子と同軸ケーブルの中心導体を接続する前の図であり、（Ｂ）は、本発明の実施の形態に係る中心端子と同軸ケーブルの中心導体を接続した後の図である。
【図６】（Ａ）は、本発明の実施の形態に係る筒状体の上面図であり、（Ｂ）は、本発明の実施の形態に係る筒状体を示す図であり、（Ｃ）は、本発明の実施の形態に係る筒状体の正面図であり、（Ｄ）は、図６（Ｃ）のＥ−Ｅ断面図であり、（Ｅ）は、図６（Ａ）のＦ−Ｆ断面図であり、（Ｆ）は、図６（Ａ）のＧ−Ｇ断面図である。
【図７】本発明の実施の形態に係る筒状体とグランド端子を示す図である。
【図８】（Ａ）は、本発明の実施の形態に係る固定部材の上面図であり、（Ｂ）は、本発明の実施の形態に係る固定部材を示す図であり、（Ｃ）は、本発明の実施の形態に係る固定部材の正面図であり、（Ｄ）は、本発明の実施の形態に係る固定部材の側面図であり、（Ｅ）は、本発明の実施の形態に係る固定部材の底面図であり、（Ｆ）は、本発明の実施の形態に係る固定部材を示す図である。
【図９】（Ａ）から（Ｃ）は、本発明の実施の形態に係る同軸ケーブルをグランド端子に取り付ける方法を説明する図である。
【図１０】（Ａ）および（Ｂ）は、本発明の実施の形態に係る固定部材をグランド端子および筒状体に取り付ける方法を説明する図である。
【図１１】（Ａ）は、本発明の実施の形態に係る電気コネクタを示す図であり、（Ｂ）は、図１１（Ａ）のＨ−Ｈ断面図であり、（Ｃ）は、図１１（Ａ）のＩ−Ｉ断面図であり、（Ｄ）は、図１１（Ａ）のＪ−Ｊ断面図である。
【図１２】（Ａ）から（Ｃ）は、本発明の実施の形態に係る電気コネクタをハウジングに取り付ける方法を説明する図である。
【発明を実施するための形態】
【００２０】
以下、本発明を実施するための形態に係る電気コネクタおよび防水コネクタを図面を参照しながら説明する。
【００２１】
本実施の形態に係る防水コネクタ１０は、図１（Ａ）および図１（Ｂ）に示すように、車載カメラ１と同軸ケーブルＣとを接続するものである。車載カメラ１の背面（同軸ケーブルＣ側）には、図２（Ａ）に示すように、防水コネクタ１０が取り付けられている。車載カメラ１は、図２（Ｂ）に示すように、レンズ２と、レンズ２により撮像面に被写体像が結像される撮像素子３と、撮像素子３に電気的に接続された回路基板４と、回路基板４に接続される内部コネクタ５と、防水コネクタ１０に接続される相手側コネクタ６と、内部コネクタ５と相手側コネクタ６とを接続する同軸ケーブル７と、これらの構成を収容するカメラ筐体８と、を備える。撮像素子３は、結像された被写体像を電気信号に変換し回路基板４に出力する。回路基板４は、同軸ケーブル７を介して、撮像素子３から出力された電気信号を防水コネクタ１０に接続された同軸ケーブルＣに出力する。
【００２２】
防水コネクタ１０は、図３（Ａ）に示すように、カメラ筐体８の背面（同軸ケーブルＣ側）に取り付けられる。防水コネクタ１０は、図３（Ｂ）に示すように、電気コネクタ１００と、電気コネクタ１００を収容するハウジング１１と、電気コネクタ１００および同軸ケーブルＣをハウジング１１に封止して防水する防水材１３と、を備える。防水材１３は、ポリアミド系ホットメルト接着剤、またはポリウレタン系ホットメルト接着剤から構成され、ホットメルトモールディングにより形成される。ハウジング１１には、カメラ筐体８に当接する当接面にＯリング１４を配置する溝１５が形成される。防水コネクタ１０は、溝１５にＯリング１４が配置され、カメラ筐体８にネジ１６でネジ止めされる。これにより、電気コネクタ１００と相手側コネクタ６との接続部分は、防水コネクタ１０とＯリング１４とで密封される。
【００２３】
電気コネクタ１００は、図４（Ａ）から図４（Ｄ）に示すように、中心端子１１０と、中心端子１１０を収容する筒状体１２０と、筒状体１２０を収容する筒状のグランド端子１４０と、グランド端子１４０の外を覆って配置される固定部材１５０と、を備える。中心端子１１０は、相手側コネクタ６と接触する接点部１１１と同軸ケーブルＣの中心導体Ｅに接続する接続部１１２とを有する。筒状体１２０は、接点部１１１を収容する接点収容空間１２１と接続部１１２を収容する封止空間１２２とが形成されている。接点収容空間１２１と封止空間１２２との間には、固定部材１５０に取り付けられた隔離板１３０が配置される。図４（Ｂ）に示すように、接点収容空間１２１と封止空間１２２との間に隔離板１３０を配置し、封止空間１２２に封止材１６０を注入すると、図４（Ｄ）に示すように、封止材１６０が配置された電気コネクタ１００が得られる。封止材１６０は、アクリル系接着剤から構成される。
【００２４】
中心端子１１０は、図５（Ａ）および図５（Ｂ）に示すように、カメラ筐体８に配置された相手側コネクタ６のオス端子に接触する接点部１１１と、同軸ケーブルＣの中心導体Ｅに接続される接続部１１２と、を有し、銅板、アルミニウム板などの金属板から構成される。接点部１１１と接続部１１２との間には、接点部１１１および接続部１１２より細いくびれ部１１３が設けられている。接点部１１１は、くびれ部１１３に接続される基部１１４とオス端子を挟持する一対の挟持片１１５とを有する。接続部１１２は、同軸ケーブルＣの中心導体Ｅに接続される部分であり、くびれ部１１３に接続される基部１１６と中心導体Ｅを圧着する一対の金属片１１７とを有する。くびれ部１１３と基部１１４、１１６とは、平板状に接続される。図５（Ａ）に示す中心端子１１０の接続部１１２に中心導体Ｅを配置し、金属片１１７をカシメて中心導体Ｅを圧着すると、中心導体Ｅが中心端子１１０に接続され、図５（Ｂ）に示すように、同軸ケーブルＣの中心導体Ｅが接続された中心端子１１０が得られる。この中心端子１１０は、図４（Ｂ）に示す筒状体１２０に収容される。
【００２５】
図４（Ｂ）に示す筒状体１２０は、図６（Ａ）から図６（Ｆ）に示すように、中心端子１１０を収容する筒状の形状を有するものであり、樹脂などの誘電体から構成される。筒状体１２０には、図６（Ｄ）に示すように、接点収容空間１２１と、接点収容空間１２１に連通し、接続部１１２を収容し、接点収容空間１２１よりも大径の封止空間１２２と、が形成される。筒状体１２０には、接点収容空間１２１と封止空間１２２との間に配置される隔離板１３０が挿入される第１の開口部１２３と、封止材１６０が注入される第２の開口部１２４と、が形成されている。第１の開口部１２３と第２の開口部１２４とは、並んで形成され一つの開口部を構成する。図４（Ｂ）に示す封止空間１２２は、中心端子１１０の接続部１１２と同軸ケーブルＣの中心導体Ｅとの接続部分と、中心導体Ｅを被覆し、誘電体から構成される被覆部Ｈの端部と、同軸ケーブルＣの外部導体Ｇの端部と、を収容する。図４（Ｄ）に示す封止空間１２２には、接続部分と被覆部Ｈと外部導体Ｇとを封止する封止材１６０が配置される。接点収容空間１２１に配置された中心導体１１０の基部１１４の底面が接触する接触面１２５は、封止空間１２２に配置された中心導体１１０の基部１１６の底面が接触する接触面１２６に接続される。接点収容空間１２１の接触面１２５と封止空間１２２の接触面１２６とには、中心端子１１０のくびれ部１１３の底面と基部１１４、１１６の底面とが接触して配置される。第１の開口部１２３は、中心端子１１０のくびれ部１１３が配置される部分に対向する位置に設けられている。第２の開口部１２４は、封止空間１２２の接触面１２６に対向して形成される。図６（Ｅ）に示すように、中心端子１１０のくびれ部１１３が配置される接触面１２６には、後述する隔離板１３０に設けられた突起部１３２が挿入される一対の孔１２７が設けられている。図６（Ａ）から図６（Ｃ）に示す筒状体１２０の側壁には、グランド端子１４０に係り止めする係止部１２８が設けられている。
【００２６】
図７に示すように、グランド端子１４０は、同軸ケーブルＣの外部導体Ｇと相手側コネクタ６とを接続するものであり、銅板、アルミニウム板などの金属板から構成される。グランド端子１４０は、筒状体１２０を収容する筒状部１４１と、外部導体Ｇと接続する接続部１４２と、相手側端子と接触する接触部１４３と、グランド端子１４０と連結して搬送を行うためのキャリア部１４４と、を有する。筒状部１４１には、筒状体１２０の第１の開口部１２３に連通する第３の開口部１４５と、第２の開口部１２４に連通する第４の開口部１４６と、筒状体１２０の係止部１２８が嵌まる係止孔１４７と、を有する。
【００２７】
図８（Ａ）から図８（Ｆ）に示すように、固定部材１５０は、ハウジング１１に電気コネクタ１００を挿入したときに、ハウジング１１から抜けないように固定するものであり、隔離板１３０と、第５の開口部１５１と、グランド端子１４０を挟む一対のアーム１５２と、凸部１５３と、ハウジング１１のコネクタ収容空間１２の内部に設けられた係止部に係止されるストッパ部１５４と、を備える。隔離板１３０は、接点収容空間１２１と封止空間１２２との間に配置され、接点収容空間１２１と封止空間１２２とを隔離し、両空間の流通を止める。図８（Ｃ）に示すように、隔離板１３０は、中心端子１１０の一部が入る凹部１３１と、筒状体１２０に設けられた孔１２７に嵌まる一対の突起部１３２と、を有する。凹部１３１は、中心端子１１０の接続部１１２と接点部１１１の間のくびれ部１１３に嵌合する形状に成形されている。第５の開口部１５１は、第２の開口部１２４および第４の開口部１４６に連通する。凸部１５３は、アーム１５２に設けられ、電気コネクタ１００をハウジング１１に挿入したときに、ハウジング１１のコネクタ収容空間１２の内壁と固定部材１５０との間隔を一定に保つものである。ストッパ部１５４は、電気コネクタ１００をハウジング１１に挿入したときに、電気コネクタ１００がハウジング１１から抜けないようにするものである。隔離板１３０は、グランド端子１４０の第３の開口部１４５を介して、筒状体１２０の第１の開口部１２３に配置される。
【００２８】
つぎに、電気コネクタ１００に同軸ケーブルＣを取り付ける方法について図面を参照しながら説明する。
【００２９】
電気コネクタ１００に同軸ケーブルＣを取り付ける方法は、接続工程と、筒状体挿入工程と、収容工程と、隔離板挿入工程と、封止工程と、を備える。
【００３０】
まず、同軸ケーブルＣの中心導体Ｅを中心端子１１０に接続する接続工程を実施する。図５（Ａ）に示すように、同軸ケーブルＣの中心導体Ｅを中心端子１１０の接続部１１２に配置する。つぎに、接続部１１２に設けられた１対の金属片１１７を圧着する。一対の金属片１１７が圧着されると、図５（Ｂ）に示すように、中心導体Ｅが中心端子１１０の接続部１１２接続される。
【００３１】
つぎに、筒状体１２０をグランド端子１４０に挿入する筒状体挿入工程を実施する。図７に示す筒状体１２０をグランド端子１４０の筒状部１４１に挿入する。このとき、筒状体１２０の第１の開口部１２３がグランド端子１４０の第３の開口部１４５に連通し、筒状体１２０の第２の開口部１２４がグランド端子１４０の第４の開口部１４６に連通するように、筒状体１２０の位置を調整する。筒状体１２０をグランド端子１４０の筒状部１４１に挿入すると、筒状体１２０の係止部１２８がグランド端子１４０の係止孔１４７に嵌まり、筒状体１２０がグランド端子１４０に係り止めされる。
【００３２】
つぎに、中心端子１１０を筒状体１２０に収容する収容工程を実施する。図９（Ａ）に示すグランド端子１４０に挿入された筒状体１２０に、同軸ケーブルＣの中心導体Ｅが接続された中心端子１１０を収容する。このとき、後で挿入される隔離板１３０が中心端子１１０を押さえるように、中心端子１１０の基部１１４の底面が接点収容空間１２１の接触面１２５に接し、基部１１６の底面が封止空間１２２の接触面１２６に接するように配置する。
【００３３】
つぎに、同軸ケーブルＣの外部導体Ｇをグランド端子１４０に接続するグランド端子接続工程を実施する。図９（Ｂ）に示すように、グランド端子１４０の接続部１４２を外部導体Ｇに巻き付ける。これにより、外部導体Ｇがグランド端子１４０に接続される。つぎに、グランド端子１４０とキャリア部１４４との連結部分が切断され、キャリア部１４４は廃棄される。これにより、図９（Ｃ）に示すように、同軸ケーブルＣがグランド端子１４０に固定される。
【００３４】
つぎに、固定部材１５０を取り付けると共に、隔離板１３０を挿入し、接点収容空間１２１と封止空間１２２とを隔離する隔離板挿入工程を実施する。図１０（Ａ）に示す固定部材１５０をグランド端子１４０および筒状体１２０に取り付けると共に、隔離板１３０をグランド端子１４０の第３の開口部１４５から挿入し、接点収容空間１２１と封止空間１２２と隔離する。隔離板１３０が挿入されると、凹部１３１は、図５（Ｂ）に示す中心端子１１０のくびれ部１１３に嵌合し、図８（Ｃ）に示す隔離板１３０の突起部１３２は、図６（Ｅ）に示す孔１２７に挿入される。固定部材１５０を筒状部１４１に押し込むと、アーム１５２が開き、さらに押し込むとアーム１５２が戻る。これにより、アーム１５２がグランド端子１４０の筒状部１４１を挟み、図１０（Ｂ）に示すように、固定部材１５０がグランド端子１４０に取り付けられる。
【００３５】
つぎに、中心端子１１０の接続部１１２と同軸ケーブルＣの中心導体Ｅとの接続部分を封止する封止工程を実施する。図４（Ｄ）に示す固定部材１５０の第５の開口部１５１から封止材１６０を注入する。封止材１６０が注入されると、中心端子１１０の接続部１１２と同軸ケーブルＣの中心導体Ｅとの接続部分と、被覆部Ｈの端部と、外部導体Ｇの端部と、が封止される。これにより、同軸ケーブルＣが取り付けられた電気コネクタ１００が得られる。
【００３６】
つぎに、防水コネクタ１０に同軸ケーブルＣを取り付ける方法について図面を参照しながら説明する。
【００３７】
防水コネクタ１０に同軸ケーブルＣを取り付ける方法は、同軸ケーブルＣが取り付けられた電気コネクタ１００をハウジング１１に挿入する電気コネクタ挿入工程と、電気コネクタ１００とハウジング１１との隙間に防水材１３を配置する防水加工工程と、を備える。
【００３８】
図１２（Ａ）に示すように、電気コネクタ１００をハウジング１１のコネクタ収容空間１２に挿入する。図１２（Ｂ）に示すように、電気コネクタ１００がハウジング１１のコネクタ収容空間１２に挿入されると、図１２（Ａ）に示すストッパ部１５４が、ハウジング１１のコネクタ収容空間１２の内部に設けられた係止部に係止され、電気コネクタ１００がハウジング１１から抜けないように固定される。つぎに、電気コネクタ１００とハウジング１１のコネクタ収容空間１２との隙間に防水材１３をホットメルトモールディングにより配置する。これにより、図１２（Ｃ）に示すように、同軸ケーブルＣが取り付けられた防水コネクタ１０が得られる。図３（Ｂ）に示すように、同軸ケーブルＣが取り付けられた防水コネクタ１０の溝１５にＯリング１４を配置し、防水コネクタ１０をカメラ筐体８に取り付ける。防水コネクタ１０をカメラ筐体８に取り付けると、電気コネクタ１００の中心端子１１０が相手側コネクタ６の中心端子と接触し、グランド端子１４０が相手側コネクタ６のグランド端子と接触し、防水コネクタ１０が車載カメラ１に接続される。これにより、図１（Ａ）および図１（Ｂ）に示すように、防水コネクタ１０を取り付けた車載カメラ１が得られる。
【００３９】
以上に説明したように、本実施の形態の電気コネクタ１００では、筒状体１２０に、接点部１１１を収容する接点収容空間１２１と、接続部１１２を収容する封止空間１２２と、が形成されており、隔離板１３０が、接点収容空間１２１と封止空間１２２との間に配置されると、接点収容空間１２１と封止空間１２２とが隔離される。隔離板１３０は、固定部材１５０に設けられており、固定部材１５０を筒状体１２０に取り付ける際、第１の開口部１２３から挿入され、容易に筒状体１２０に配置することができる。封止空間１２２に封止材１６０が注入されると、接続部１１２と中心導体Ｅとの接続部分が封止される。
【００４０】
詳細には、隔離板１３０が第１の開口部１２３から挿入されると、図１１（Ｂ）に示すように、隔離板１３０の凹部１３１が中心端子１１０のくびれ部１１３に嵌合し、中心端子１１０のくびれ部１１３は、隔離板１３０の凹部１３１と筒状体１２０の封止空間１２２の接触面１２６とに挟まれる。このとき、隔離板１３０の突起部１３２は、筒状体１２０に設けられた孔１２７に挿入される。これにより、接点収容空間１２１と封止空間１２２とが隔離され、封止材１６０が中心端子１１０の接点部１１１に流れ込むことを防止でき、接点部１１１と相手側端子との接触不良を防止できる。図１１（Ｃ）に示すように、第５の開口部１５１、第４の開口部１４６および第２の開口部１２４から封止材１６０が、注入されると、中心端子１１０の接続部１１２と中心導体Ｅの接続部分を封止できる。これにより、図１１（Ｃ）に示すように、複数の素線を撚った中心導体Ｅを被覆で覆った同軸ケーブルＣにおいて、素線の隙間で水などが結露したとしても、電気コネクタ１００の接点部１１１に侵入しない。
【００４１】
また、上記構成を有する防水コネクタ１０は、電気コネクタ１００とハウジング１１のコネクタ収容空間１２との隙間に防水材１３が配置される。これにより、ハウジング１１と電気コネクタ１００の隙間が防水される。従って、導体と端子との接続部分を封止でき、導体に容易に取り付け可能な電気コネクタ１００、防水コネクタ１０、電気コネクタ１００に同軸ケーブルＣを取り付ける方法を提供できる。
【００４２】
（変形例）
上述の実施の形態においては、第１の開口部１２３と第２の開口部１２４とが、並んで形成され一つの開口部を構成する例について説明した。第１の開口部１２３と第２の開口部１２４とは、それぞれ独立した開口部から構成されてもよい。また、上述の実施の形態においては、第２の開口部１２４が、封止空間１２２の接触面１２６に対向する面に形成される例について説明した。第２の開口部１２４は、封止空間１２２に封止材１６０を注入することができれば、何れの位置に設けられてもよい。
【００４３】
上述の実施の形態においては、隔離板１３０が固定部材１５０に取り付けられている例について説明した。隔離板１３０は、接点収容空間１２１と封止空間１２２との間に配置され、接点収容空間１２１と封止空間１２２とを隔離し、両空間の流通を止めることができればよく、隔離板１３０は、単独の部材から構成されてもよく、固定部材１５０以外の部材に取り付けられていてもよい。
【００４４】
上述の実施の形態において、同軸ケーブルＣの中心導体Ｅが、電気コネクタ１００の中心端子１１０に設けられた金属片１１７により圧着される例について説明した。同軸ケーブルＣの中心導体Ｅと中心端子１１０は、圧着以外の方法で接続されてもよく、例えばハンダにより接続されてもよい。
【００４５】
上述の実施の形態において、電気コネクタ１００の接点部１１１が、オス端子に接触する例について説明した。接点部１１１は、オス端子に接触する場合に限定されず、接点部１１１は、メス端子に接触するオス端子を備えてもよく、丸形端子、クワ形端子などのその他の端子を備えてもよい。また、接点部１１１は、回路基板などに直接電気的に接続されてもよい。なお、中心導体Ｅは多くの素線による撚り線である例について説明したが、単線の導体でも同様に中心導体Ｅと中心端子１１０との接続部分を封止できる。
【００４６】
上述の実施の形態において、封止材１６０がアクリル系接着剤から構成される例について説明した。封止材１６０は、中心導体Ｅと中心端子１１０との接続部分を封止できればよく、例えばポリアミド系ホットメルト接着剤、またはポリウレタン系ホットメルト接着剤から構成されてもよい。また、上述の実施の形態において、防水コネクタ１０の防水材１３が、ポリアミド系ホットメルト接着剤、またはポリウレタン系ホットメルト接着剤から構成される例について説明した。防水材１３は、電気コネクタ１００とハウジング１１のコネクタ収容空間１２との隙間を防水できればよく、例えば、アクリル系接着剤を用いてもよい。
【００４７】
上述の実施の形態では、電気コネクタ１００が、車載カメラ１に同軸ケーブルＣを取り付ける例について説明した。電気コネクタ１００は、車載カメラ１以外の電子機器または電気機器に同軸ケーブルＣを取り付けるために用いられてもよい。
【００４８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４９】
本発明は、電子機器または電子機器の部品として用いられる電気コネクタ、防水コネクタに適用することができる。
【符号の説明】
【００５０】
１…車載カメラ、２…レンズ、３…撮像素子、４…回路基板、５…内部コネクタ、６…相手側コネクタ、７…同軸ケーブル、８…カメラ筐体、１０…防水コネクタ、１１…ハウジング、１２…コネクタ収容空間、１３…防水材、１４…Ｏリング、１５…溝、１６…ネジ、１００…電気コネクタ、１１０…中心端子、１１１…接点部、１１２…接続部、１１３…くびれ部、１１４、１１６…基部、１１５…挟持片、１１７…金属片、１２０…筒状体、１２１…接点収容空間、１２２…封止空間、１２３…第１の開口部、１２４…第２の開口部、１２５、１２６…接触面、１２７…孔、１２８…係止部、１３０…隔離板、１３１…凹部、１３２…突起部、１４０…グランド端子、１４１…筒状部、１４２…接続部、１４３…接触部、１４４…キャリア部、１４５…第３の開口部、１４６…第４の開口部、１４７…係止孔、１５０…固定部材、１５１…第５の開口部、１５２…アーム、１５３…凸部、１５４…ストッパ部、１６０…封止材
【図１】
2019029231.tif 000003
【図２】
2019029231.tif 000004
【図３】
2019029231.tif 000005
【図４】
2019029231.tif 000006
【図５】
2019029231.tif 000007
【図６】
2019029231.tif 000008
【図７】
2019029231.tif 000009
【図８】
2019029231.tif 000010
【図９】
2019029231.tif 000011
【図１０】
2019029231.tif 000012
【図１１】
2019029231.tif 000013
【図１２】
2019029231.tif 000014